(57)【特許請求の範囲】
【請求項１】
特定の周期で正負の極性が反転する交流パルス電圧を単一の放電針に印加して、当該交流パルス電圧の正負のパルス幅に応じた量の正負のイオンを交互に生成する除電装置において、
前記交流パルス電圧の１周期に対する正負のパルス幅の比である正負のデューティ比を複数段階にわたって調整する場合に、正負のデューティ比を片側ずつ増減させることにより、正負のイオンの生成量を制御する制御回路を備えてなる除電装置。
【請求項２】
請求項１に記載の除電装置において、
前記制御回路は、前記正負のデューティ比を、調整可能とされる最小単位ずつ増減させることにより正負のイオンの発生量を制御する除電装置。
【請求項３】
請求項１または請求項２に記載の除電装置において、
電源電圧を昇圧して正極性の高電圧を放電針に印加する第１の給電経路を開閉する第１のスイッチと、同じく負極性の高電圧を前記放電針に印加する第２の給電経路を開閉する第２のスイッチと、を備え、
前記制御回路は、前記第１および第２のスイッチを交互にオンオフさせることにより前記交流パルス電圧を生成するとともに、前記正負のデューティ比に応じて前記第１および第２のスイッチのオンオフ時間を制御する除電装置。
【請求項４】
請求項１〜請求項３のうちいずれか一項に記載の除電装置において、
前記正負のデューティ比を増大または減少させる旨の指令が入力される入力装置を備え、
前記制御回路は、前記入力装置を通じて入力される前記指令に基づき前記正負のデューティ比を増減させる除電装置。
【請求項５】
請求項１〜請求項４のうちいずれか一項に記載の除電装置において、
前記正負のイオンの多少に応じて前記放電針とグランドとの間に生ずるイオン電流を検出する検出回路を備え、
前記制御回路は、前記検出回路の検出結果に基づき前記正負のデューティ比を増減させる除電装置。
【発明の詳細な説明】
【技術分野】
【０００１】
本発明は、静電気を除去する除電装置に関する。
【背景技術】
【０００２】
従来、正極性のイオンと負極性のイオンとを交互に発生させる除電装置として、たとえば特許文献１に記載される構成が知られている。この除電装置は、直流電源に第１および第２のスイッチを介してそれぞれ接続される第１および第２の高電圧発生回路を備えてなる。第１の高電圧発生回路は直流電源の直流電圧を昇圧して正極性の高電圧を、第２の高電圧発回路は同じく負極性の高電圧を生成する。第１および第２の高電圧発生回路の出力端子の間には、等価な２つの抵抗が直列に接続され、さらにこれら抵抗の接続点には放電針が接続されている。除電装置の制御装置による第１および第２のスイッチの開閉制御を通じて、放電針に対して正極性および負極性のパルス状の高電圧が交互に印加される。すなわち、正負の極性が周期的に反転する交流パルス電圧が放電針に印加されることにより、当該放電針の先端の周囲にはコロナ放電による正極性および負極性のイオンが交互に生成される。
【０００３】
除電装置では、生成される正極性のイオンおよび負極性のイオンの均衡（以下、「イオンバランス」という。）が０Ｖに近いほど精度の高い除電を行うことができる。イオンバランスが崩れると、除電対象を逆に帯電させてしまう逆帯電が発生したり、完全な除電ができなかったりするなど、安定した除電が困難となる。この点、特許文献１では、第１および第２のスイッチの開閉時間の制御を通じて正極性および負極性の電圧印加時間、すなわち正極性および負極性の電圧のパルス幅を調整することにより、イオンバランスを調整することが可能とされている。この際、第１および第２のスイッチの開閉時間の比率は、正のデューティ比Ｄ１、および負のデューティ比Ｄ２の合計が１００％になるように調整される。ここで、正のデューティ比Ｄ１とは、交流パルス電圧の１周期に対する正極性パルス幅の比をいう。負のデューティ比Ｄ２とは、交流パルス電圧の１周期に対する負極性パルス幅の比をいう。
【先行技術文献】
【特許文献】
【０００４】
【特許文献１】特開２０００−５８２９０号公報
【発明の概要】
【発明が解決しようとする課題】
【０００５】
さて、図４（ａ）に示すように、正極性パルス幅（＝時間Ｔ１）と負極性パルス幅（＝時間Ｔ２）とが等しい場合、すなわち正のデューティ比Ｄ１および負のデューティ比Ｄ２がそれぞれ５０％である場合であれ、正極性のイオンおよび負極性のイオンの発生量に差が生じることが考えられる。この場合、イオンバランスが悪くなるので、当該イオンバランスの調整を行う必要がある。
【０００６】
ここで、図５（ａ）に示されるように、正のデューティ比Ｄ１および負のデューティ比Ｄ２がそれぞれ５０％である場合のイオンバランスが−１０Ｖであるときを想定する。このときイオンバランスをとるためには、正極性のイオンを増大させる必要がある。たとえば、放電針に印加される交流パルス電圧の周波数を１００Ｈｚ、制御装置の割り込み周期を２０μｓとした場合、図４（ｂ）に矢印で示されるように、正のデューティ比Ｄ１を１段階（ここでは、０．２％）だけ増大させるとともに負のデューティ比Ｄ２を１段階だけ減少させる。これらデューティ比Ｄ１，Ｄ２の調整結果は、つぎの（Ｘ）式のようになる。
【０００７】
Ｄ１：Ｄ２＝５０．２０％：４９．８０％  ・・・（Ｘ）
当該調整により、正極性のパルス電圧の印加時間が増大することにより、生成される正極性のイオンの量は増大する。逆に、負極性のパルス電圧の印加時間が減少することにより、生成される負極性のイオンの量は減少する。その結果、発生するイオン全体における正極性のイオンが占める割合が一気に増大する。
【０００８】
図５（ｂ）に示されるように、当該調整後のイオンバランスを、実際に製品モデルを使用して測定したところ、当該イオンバランスは、約＋１０Ｖとなった。すなわち、調整前のイオンバランスが−１０Ｖであったのに対して調整後のイオンバランスは＋１０Ｖとなることから、イオンバランスの最小調整値（分解能）は、約２０Ｖであることが分かる。
【０００９】
前述したように、イオンバランスは０Ｖに近いほど好ましい。しかし、最小調整値が２０Ｖである場合、イオンバランスを要求レベルに調整することが困難となるおそれがある。たとえば、イオンバランスを０Ｖに近似させる場合、今後は先程とは反対に、負極性のイオンを増大させる必要がある。この場合、正のデューティ比Ｄ１を１段階だけ減少させるとともに、負のデューティ比Ｄ２を１段階だけ増大させる。すると、正負のデューティ比Ｄ１，Ｄ２は、結局、前記（Ｘ）で示される元の関係となる。イオンバランスは、＋１０Ｖから元の−１０Ｖに近似する値へ変化する。
【００１０】
このように、イオンバランスの調整に際して、正負のデューティ比Ｄ１，Ｄ２を同時に調整する方法では、イオンバランスが全体として大きく変動しすぎる場合が懸念される。また、イオンバランスの微調整が要求される状況に対応できない場合には、ユーザにとって除電装置が扱いにくいものとなるおそれがある。
【００１１】
なお、正負のデューティ比Ｄ１，Ｄ２の１段階分の増減値、すなわちイオンバランスの最小調整値は、交流パルス電圧の周波数によって異なる。しかし、程度の差はあれども、前述と同様の問題を生じ得る。
【００１２】
本発明は上記問題点を解決するためになされたものであって、その目的は、イオンバランスの調整精度を向上させることができる除電装置を提供することにある。
【課題を解決するための手段】
【００１３】
請求項１に記載の発明は、特定の周期で正負の極性が反転する交流パルス電圧を単一の放電針に印加して、当該交流パルス電圧の正負のパルス幅に応じた量の正負のイオンを交互に生成する除電装置において、前記交流パルス電圧の１周期に対する正負のパルス幅の比である正負のデューティ比を複数段階にわたって調整する場合に、正負のデューティ比を片側ずつ増減させることにより正負のイオンの生成量を制御する制御回路を備えてなることをその要旨とする。
【００１４】
本発明によれば、正負のデューティ比をこれらの合計が１００％となるように同時に調整する場合と比較して、イオンバランスの最小調整値（分解能）は小さくなる。これは、正負のデューティ比を片側ずつ増減させることにより、正負のイオンの生成量の変化量が小さくなるからである。したがって、イオンバランスの調整精度を向上させることができる。
【００１５】
また、請求項２に記載するように、前記正負のデューティ比は、調整可能とされる最小単位ずつ増減させることが好ましい。このようにすれば、正負のイオンの発生量を、より細かく制御することが可能になる。
【００１６】
また、除電装置としては、たとえば請求項３に記載される構成が採用される。すなわち、除電装置は、電源電圧を昇圧して正極性の高電圧を放電針に印加する第１の給電経路を開閉する第１のスイッチと、同じく負極性の高電圧を前記放電針に印加する第２の給電経路を開閉する第２のスイッチと、を備えている。そして、前記制御回路は、前記第１および第２のスイッチを交互にオンオフさせることにより前記交流パルス電圧を生成する。また、前記制御回路は、前記正負のデューティ比に応じて前記第１および第２のスイッチのオンオフ時間を制御する。
【００１７】
また、請求項４に記載されるように、正負のデューティ比を増大または減少させる旨の指令が入力される入力装置を除電装置に備えてもよい。この場合、前記制御回路は、前記入力装置を通じて入力される指令に基づき前記正負のデューティ比を増減させる。この構成によれば、入力装置を介して、正負のイオンバランスを適宜調整することができる。
【００１８】
さらに、請求項５に記載されるように、正負のイオンの多少に応じて前記放電針とグランドとの間に生ずるイオン電流を検出する検出回路を除電装置に設けることも可能である。そして、前記制御回路は、前記検出回路の検出結果に基づき前記正負のデューティ比を増減させる。すなわち、この構成によれば、正負のイオンバランスが、その時々で検出される実際のイオンバランスに応じて、自動的に調整される。このため、除電装置の使い勝手が向上する。
【発明の効果】
【００１９】
本発明によれば、正負のデューティ比を交互に増減させることにより、イオンバランスの調整精度を向上させることができる。
【図面の簡単な説明】
【００２０】
【図１】除電装置の回路図。
【図２】（ａ）〜（ｄ）は、放電針に印加される交流パルス電圧の波形図。
【図３】（ａ）〜（ｄ）は、イオンバランスの変化を示す波形図。
【図４】（ａ），（ｂ）は、従来の交流パルス電圧の波形図。
【図５】（ａ），（ｂ）は、従来のイオンバランスの変化を示す波形図。
【発明を実施するための形態】
【００２１】
以下、本発明を具体化した一実施の形態を図１〜図３に基づいて説明する。
図１に示すように、除電装置１１は、直流電源１２のプラス端子とマイナス端子との間にそれぞれ接続される第１および第２の高電圧発生回路１３，１４を備えてなる。第１の高電圧発生回路１３は、直流電源１２の直流電圧（電源電圧）を昇圧することにより正極性の直流高電圧を生成する。第２の高電圧発生回路１４は、直流電源１２の直流電圧を昇圧することにより負極性の直流高電圧を生成する。
【００２２】
直流電源１２のプラス端子と第１の高電圧発生回路１３との間には第１のスイッチ１５が、直流電源１２のプラス端子と第２の高電圧発生回路１４との間には第２のスイッチ１６が設けられている。第１および第２のスイッチ１５，１６としては、たとえば電界効果トランジスタ（ＦＥＴ）などの電子的なスイッチング素子が採用される。
【００２３】
第１の高電圧発生回路１３の出力端子と、第２の高電圧発生回路１４の出力端子との接続点１７には、放電針１８が接続されている。
除電装置１１の制御回路１９は、第１および第２のスイッチ１５，１６のオンオフ制御を通じて正極性のイオンおよび負極性のイオンの生成を制御する。
【００２４】
第１のスイッチ１５がオン状態に、第２のスイッチ１６がオフ状態に維持されているとき、放電針１８には第１の高電圧発生回路１３において生成される正極性の直流高電圧が印加される。その結果、放電針１８の先端の周囲には、コロナ放電による正極性のイオンが生成される。
【００２５】
第１のスイッチ１５がオフ状態に、第２のスイッチ１６がオン状態に維持されているとき、放電針１８には第２の高電圧発生回路１４において生成される負極性の直流高電圧が印加される。その結果、放電針１８の先端の周囲には、コロナ放電による負極性のイオンが生成される。
【００２６】
図２（ａ）に示すように、制御回路１９は、時間Ｔ１だけ第１のスイッチ１５をオンに、第２のスイッチ１６をオフにして正極性のパルス電圧を放電針１８に印加した後、時間Ｔ２だけ第１のスイッチ１５をオフに、第２のスイッチ１６をオンにして負極性のパルス電圧を放電針１８に印加する。この後、制御回路１９は、ふたたび第１のスイッチ１５をオンに、第２のスイッチ１６をオフにして放電針１８に正極性のパルス電圧を印加する。以降、前述と同様にして、制御回路１９は、第１および第２のスイッチ１５，１６を交互にオンオフすることにより、周期Ｔ（Ｔ＝Ｔ１＋Ｔ２）で正負の極性が反転する交流パルス電圧を放電針１８に印加する。その結果、放電針１８の先端の周囲には、コロナ放電による正極性および負極性のイオンが交互に生成される。この生成されるイオンは除電対象に供給される。
【００２７】
放電針１８に印加される交流パルス電圧の周波数は、放電針１８と除電対象との距離に応じて設定される。制御回路１９は、定められた周波数に応じて、第１および第２のスイッチ１５，１６のオンオフを制御する。交流パルス電圧の周波数は、単位時間（たとえば１秒間）当たりの周期Ｔの繰り返し回数により決まる。放電針１８には、定められた周波数の交流パルス電圧が印加される。
【００２８】
制御回路１９には、入力装置２０が接続されている。この入力装置２０は、たとえば２つのロータリスイッチを有してなる。これらロータリスイッチは、それぞれ正極性および負極性に対応して設けられている。この入力装置２０（正確には、２つのロータリスイッチ）の操作を通じて、正極性のイオンおよび負極性のイオンの均衡、すなわちイオンバランスの調整が可能とされている。具体的には、入力装置２０の操作により、交流パルス電圧の１周期における正のデューティ比Ｄ１、および負のデューティ比Ｄ２の値を、定められる最小単位ずつ個別に調節可能とされている。ここで、正のデューティ比Ｄ１とは、放電針１８に印加される交流パルス電圧の１周期（＝Ｔ）に対する正極性パルス幅（＝時間Ｔ１）の比をいう。負のデューティ比Ｄ２とは、放電針１８に印加される交流パルス電圧の１周期に対する負極性パルス幅（＝時間Ｔ２）の比をいう。制御回路１９は、入力装置２０において生成される正負のデューティ比Ｄ１，Ｄ２を増減させる旨の指令に基づき、正負のデューティ比Ｄ１，Ｄ２を調整可能とされる最小単位ずつ増大あるいは減少させる。
【００２９】
制御回路１９は、正負のデューティ比Ｄ１，Ｄ２を変更したとき、当該変更後の正負のデューティ比Ｄ１，Ｄ２に基づき、交流パルス電圧の１周期における第１および第２のスイッチ１５，１６のオンオフ時間、すなわち正極性および負極性の電圧のパルス幅を制御する。放電針１８に印加される正極性または負極性の電圧のパルス幅に応じて、生成される正極性および負極性のイオンの生成量が決まるので、入力装置２０を介した正負のデューティ比Ｄ１，Ｄ２の調節を通じて、イオンバランスを調整することが可能となる。
【００３０】
除電装置１１には、帯電モニタ２１が付属されている。帯電モニタ２１は、除電対象の帯電量を検出する。また、帯電モニタ２１は、当該帯電量の検出結果を図示しないインジケータを通じて表示する。当該表示される帯電量に基づき、イオンバランスが正極性側、あるいは負極性側に傾いている旨認識して、正負のデューティ比Ｄ１，Ｄ２を調節することも可能である。
【００３１】
また、除電装置１１は、環状の対向電極２２を備えてなる。対向電極２２は、放電針１８の先端近傍に設けられている。また、対向電極２２は抵抗２３を介してグランド２４に接続されている。対向電極２２と抵抗２３との接続点２５には、検出回路２６を介して制御回路１９が接続されている。検出回路２６は、対向電極２２を介してグランド２４へ流れるイオン電流を検出する。当該イオン電流は、正極性および負極性のイオンの生成量の多少に応じて、放電針１８と大地（ここでは、グランド２４）との間に生じる電流である。制御回路１９は、検出回路２６の検出結果に基づきイオンバランス（電圧値）を検出する。制御回路１９は、図示しない表示装置を通じて、イオンバランスの検出結果を表示する。当該表示装置を通じて、その時々のイオンバランスを確認しつつ、正負のデューティ比Ｄ１，Ｄ２を調節することも可能である。
【００３２】
＜イオンバランスの調整方法＞
つぎに、イオンバランスの調整方法について説明する。本例では、正のデューティ比Ｄ１、および負のデューティ比Ｄ２を交互に１段階ずつ増減させることにより、イオンバランスを調整する。
【００３３】
ここでは、図２（ａ）に示されるように、正負のデューティ比Ｄ１，Ｄ２がそれぞれ５０％である場合に、イオンバランスが図３（ａ）に示されるように、負極性側に−３０Ｖだけ傾いている場合を想定する。また、放電針１８に印加される交流パルス電圧の周波数を１００Ｈｚ、制御回路１９の割り込み周期を２０μｓとする。このとき、入力装置２０の操作を通じて正負のデューティ比Ｄ１，Ｄ２を１段階だけ増減させたときの当該正負のデューティ比Ｄ１，Ｄ２の変化量、すなわち正負のデューティ比の調整の最小単位は、０．２％となる。また、イオンバランスの要求レベルは±５Ｖとする。
【００３４】
さて、ここではイオンバランスが負極性に傾いていることから、入力装置２０の操作を通じて、図２（ｂ）に示されるように、負のデューティ比Ｄ２のみを１段階だけ減少させる。このとき、正負のデューティ比Ｄ１，Ｄ２の調整結果は、つぎの（Ａ）式のようになる。
【００３５】
なお、正負のデューティ比Ｄ１，Ｄ２の合計が１００％に満たない場合、すなわち正負のパルス幅の合計が周期に満たない場合（Ｔ＞Ｔ１＋Ｔ２）、制御回路１９は、正負のパルス幅の合計値を周期Ｔから差し引いた時間だけ、第１および第２のスイッチ１５，１６の両方をオフ状態に維持する。
【００３６】
Ｄ１：Ｄ２＝５０．００：４９．８０  ・・・（Ａ）
負のデューティ比Ｄ２が減少した分だけ、周期Ｔにおける第２のスイッチ１６のオン時間が短くなる。このため、生成される負極性のイオンの量は減少する。正のデューティ比Ｄ１は、当該調整前の値と同じであるので、発生するイオン全体における負極性のイオンが占める割合は減少する。この結果、図３（ｂ）に示されるように、イオンバランスは当該調整前の−３０Ｖから＋１０Ｖだけ増大して、−２０Ｖとなる。この段階では、依然としてイオンバランスは負極性に傾いているので、当該イオンバランスをさらに正極性側へ変化させる。
【００３７】
今度は、入力装置２０の操作を通じて、負のデューティ比Ｄ２を減少させるのではなく、図２（ｃ）に示されるように、正のデューティ比Ｄ１のみを１段階だけ増大させる。この場合、正負のデューティ比Ｄ１，Ｄ２の調整結果は、つぎの（Ｂ）式のようになる。
【００３８】
Ｄ１：Ｄ２＝５０．２０：４９．８０  ・・・（Ｂ）
正のデューティ比Ｄ１が増大した分だけ、周期Ｔにおける第１のスイッチ１５のオン時間が長くなる。このため、生成される正極性のイオンの量は増大する。これに伴い、発生するイオン全体における正極性のイオンが占める割合は増大する。この結果、図３（ｃ）に示されるように、当該調整後のイオンバランスは、当該調整前の−２０Ｖから＋１０Ｖだけ増大して、−１０Ｖとなる。この段階においても、イオンバランスは負極性に大きく傾いているので、当該イオンバランスをさらに正極性側へ変化させる。
【００３９】
今度は、正のデューティ比Ｄ１を増大させるのではなく、入力装置２０の操作を通じて、図２（ｄ）に示されるように、負のデューティ比Ｄ２のみを１段階だけ減少させる。この場合、正負のデューティ比Ｄ１，Ｄ２の調整結果は、つぎの（Ｃ）式のようになる。
【００４０】
Ｄ１：Ｄ２＝５０．２０：４９．６０  ・・・（Ｃ）
負のデューティ比Ｄ２が減少した分だけ、周期Ｔにおける第２のスイッチ１６のオン時間がさらに短くなる。このため、生成される負極性のイオンの量は減少する。これに伴い、発生するイオン全体における負極性のイオンが占める割合は減少する。この結果、図３（ｄ）に示されるように、当該調整後のイオンバランスは、当該調整前の−１０Ｖから＋１０Ｖだけ増大して、０Ｖとなる。すなわち、イオンバランスは要求される±５Ｖの範囲内の値となる。
【００４１】
以上で、イオンバランスの調整作業は完了となる。
なお、イオンバランスが、正極性側に大きく傾いている場合についても、前述と同様に、正負のデューティ比Ｄ１，Ｄ２を交互に１段階ずつ増減させることにより、イオンバランスを１０Ｖ単位で調整することができる。
【００４２】
このように、正負のデューティ比Ｄ１，Ｄ２を交互に１段階ずつ増大あるいは減少させることにより、イオンバランスの最小調整値（分解能）は、約１０Ｖとなる。当該最小調整値は、正負のデューティ比Ｄ１，Ｄ２を、これらの合計が１００％となるように同時に調整する場合の最小調整値である約２０Ｖと比較して、１／２の値となる。
【００４３】
また、正負のデューティ比Ｄ１，Ｄ２の１段階分の増減値、すなわちイオンバランスの最小調整値は、交流パルス電圧の周波数によって異なる。しかし、正負のデューティ比Ｄ１，Ｄ２をこれらの合計が１００％となるように同時に調整する場合に比べて、最小調整値が１／２となる点については、前述した交流パルス電圧の周波数を１００Ｈｚとした場合と同様である。たとえば、交流パルス電圧の周波数が１０Ｈｚの場合、最小調整値は、従来の調整方法によれば約１Ｖであるのに対し、本例の調整方法によれば０．５Ｖとなる。また、交流パルス電圧の周波数が５０Ｈｚの場合、最小調整値は、従来の調整方法によれば約８Ｖであるのに対し、本例の調整方法によれば４Ｖとなる。
【００４４】
＜実施の形態の効果＞
したがって、本実施の形態によれば、以下の効果を得ることができる。
（１）イオンバランスの調整に際して、正負のデューティ比Ｄ１，Ｄ２を交互に１段階ずつ増減させるようにした。このため、正負のデューティ比Ｄ１，Ｄ２の合計が１００％となるように正負のデューティ比Ｄ１，Ｄ２を同時に調整する場合と比べて、イオンバランスの最小調整値（分解能）は１／２となる。したがって、イオンバランスの調整精度を向上させることができる。除電装置１１の使い勝手も向上する。なお、イオンバランスの片寄りがわずかである場合には、正負のデューティ比Ｄ１，Ｄ２のいずれか一方のみを１段階だけ増大あるいは減少させることにより、イオンバランスの調整が完了となる場合も想定される。正負のデューティ比Ｄ１，Ｄ２を複数段階にわたって調整する場合には、本例のように正負のデューティ比Ｄ１，Ｄ２を交互に片側ずつ増減させることが好ましい。
【００４５】
（２）また、イオンバランスの調整に際して、正負のデューティ比Ｄ１，Ｄ２は、定められた最小単位（本例では、０．２％）ずつ増減される。このため、正負のイオンの生成量を、より細かく制御することが可能になる。
【００４６】
（３）正負のデューティ比を増大または減少させる旨の指令が入力される入力装置２０を設けた。このため、入力装置２０を介して、正負のイオンバランスを適宜調整することができる。
【００４７】
＜他の実施の形態＞
なお、前記実施の形態は、次のように変更して実施してもよい。
・本例において、入力装置２０は、除電装置１１に対して一体的に設けてもよいし、着脱可能に設けてもよい。
【００４８】
・本例では、入力装置２０の操作を通じて、正負のデューティ比Ｄ１，Ｄ２を調整することにより、イオンバランスの調整を行うようにしたが、つぎのようにしてもよい。すなわち、検出回路２６の検出結果に基づきイオンバランスを検出し、その検出結果に基づき、正負のデューティ比Ｄ１，Ｄ２を自動調整する。この場合も、正負のデューティ比Ｄ１，Ｄ２を交互に１段階ずつ調整することが好ましい。この構成によれば、正負のイオンバランスが、その時々で検出される実際のイオンバランスに応じて、自動的に調整される。このため、除電装置１１の使い勝手が向上する。また、イオンバランスの自動調整機能を除電装置１１に持たせる場合には、入力装置２０を省略することも可能である。
【００４９】
・本例では、イオンバランスの調整に際して、正負のデューティ比Ｄ１，Ｄ２を１段階ずつ、すなわち調整可能とされる最小単位ずつ交互に増減させるようにしたが、必ずしも１段階ずつとしなくてもよい。たとえば、交流パルス電圧の周波数を１０Ｈｚ、あるいは５０Ｈｚとする場合などには、正負のデューティ比Ｄ１，Ｄ２を複数段階ずつ、すなわち複数単位ずつ増大あるいは減少させてもよい。
【００５０】
＜他の技術的思想＞
次に、前記実施の形態から把握できる技術的思想を以下に追記する。
（イ）電源電圧を昇圧して正極性の高電圧を放電針に印加する第１の給電経路を開閉する第１のスイッチと、同じく負極性の高電圧を前記放電針に印加する第２の給電経路を開閉する第２のスイッチと、前記第１および第２のスイッチのオンオフを制御する制御回路と、を備え、前記制御回路は、前記第１および第２のスイッチを交互にオンオフさせることにより特定の周期で正負の極性が反転する交流パルス電圧を前記放電針に印加して、当該交流パルス電圧の正負のパルス幅に応じた量の正負のイオンを交互に生成する除電装置において、前記制御回路は、前記交流パルス電圧の１周期に対する正負のパルス幅の比である正負のデューティ比を、交互に増減させることにより正負のイオンの発生量を制御する除電装置。当該方法によれば、請求項１に記載の発明と同様の効果を得ることができる。
【００５１】
（ロ）特定の周期で正負の極性が反転する交流パルス電圧を単一の放電針に印加することにより当該交流パルス電圧の正負のパルス幅に応じた量の正負のイオンを交互に生成する除電装置におけるイオンバランス調整方法において、前記交流パルス電圧の１周期に対する正負のパルス幅の比である正負のデューティ比を交互に増減させることにより正負のイオンの生成量を調整するイオンバランス調整方法。当該方法によれば、請求項１に記載の発明と同様の効果を得ることができる。
【符号の説明】
【００５２】
１１…除電装置、１５…第１のスイッチ、１６…第２のスイッチ、１８…放電針、１９…制御回路、２０…入力装置、２６…検出回路。
【図１】
0005686655.tif 000002
【図２】
0005686655.tif 000003
【図３】
0005686655.tif 000004
【図４】
0005686655.tif 000005
【図５】
0005686655.tif 000006